(57)【要約】【課題】静電気対策ツールの接地状態確認が簡単にかつ正確にできる静電気対策ツールの接地状態確認装置および確認方法が求められている。【解決手段】静電気対策ツールの接地状態確認装置は、静電気測定機能を有し、静電気をグランドに逃がす静電気対策ツールに接続されて、その静電気測定機能を用いて静電気対策ツールの接地状態を検出する静電気測定器、を備えている。【選択図】図１
2015049090.tif 000002
【特許請求の範囲】
【請求項１】
静電気測定機能を有し、静電気をグランドに逃がす静電気対策ツールに接続されて、前記機能を用いて前記静電気対策ツールの接地状態を検出する静電気測定器、を備える、ことを特徴とする静電気対策ツールの接地状態確認装置。
【請求項２】
前記静電気測定器は、
前記静電気対策ツールに接続される接続部と、
前記静電気対策ツールに印加する所定信号を発生する信号発生部と、
前記所定信号の印加結果に基づいて前記静電気対策ツールの接地状態を検出する検出部と、を有する、
ことを特徴とする請求項１記載の接地状態確認装置。
【請求項３】
前記検出部は、前記所定信号の印加に伴って発生する電圧変化を検出し、
前記接地状態確認装置は、前記電圧変化に基づいて、前記静電気対策ツールの接地状態を判定する、ことを特徴とする請求項１又は２記載の接地状態確認装置。
【請求項４】
前記静電気測定器は、前記静電気対策ツールの静電電位値又は静電容量値を測定可能であり、
前記接地状態確認装置は、前記静電電位値又は静電容量値に基づいて、前記静電気対策ツールの接地状態を判定する、ことを特徴とする請求項１〜３のいずれか一記載の接地状態確認装置。
【請求項５】
前記静電気測定器は、前記静電気対策ツールのグランド接続部と、グランドとの間に接続される、ことを特徴とする請求項１〜４のいずれか一記載の接地確認装置。
【請求項６】
前記静電気測定器は、前記静電気対策ツールの前記グランド接続部の電圧ないし電圧変化に基づいて、前記静電気対策ツールの接地状態を検出する、ことを特徴とする請求項５記載の接地確認装置。
【請求項７】
静電気対策ツールに静電気測定器を接続し、前記静電気測定器が有する静電気測定機能を利用して、前記静電気対策ツールの接地状態を判定する、ことを特徴とする静電気対策ツールの接地状態確認方法。
【請求項８】
前記静電気測定器は、前記静電気対策ツールに所定信号を印加し、前記所定信号の印加により発生する状態変化に基づいて、前記静電気対策ツールの接地状態を検出する、ことを特徴とする請求項７記載の接地状態確認方法。
【請求項９】
前記静電気測定器は、前記所定信号の印加により発生する電圧変化に基づいて、前記静電気対策ツールの接地状態を検出する、ことを特徴とする請求項８記載の接地状態確認方法。
【請求項１０】
前記静電気対策ツールの静電電位値、静電容量値又は前記静電気対策ツールのグランド接続部の電圧ないし電圧変化に基づいて、前記静電気対策ツールの接地状態を判定する、ことを特徴とする請求項７〜９のいずれか一記載の接地状態確認方法。
【発明の詳細な説明】
【技術分野】
【０００１】
本発明は、静電気対策ツールの接地状態確認装置および確認方法に関する。
【背景技術】
【０００２】
静電気対策ツールは、対象機器に、静電気あるいは外部からの異常電圧又は異常電流が侵入することを防止するために用いられる。したがって、静電気対策ツールは、それが十分なグランドに接続ないし接地されている状態での使用が求められる。
【０００３】
特許文献１には、「身体に帯電した静電気を接地側電極に逃がすリストストラップにおいて、上記接地側電極の接地で上記接地側電極に入力される交流信号により接地を検出する接地検出手段と、上記接地検出手段による上記接地が検出されないことを表示する接地異常表示手段と、を備えたことを特徴とするリストストラップ」が提案されている。「ここで、上記接地検出手段が検出する交流信号とは、例えば、接地側電極を建物の鉄骨、アース端子等に接地したときに、誘導電波又は商用電源からの電磁誘導等により鉄骨等に生じた交流信号をいう。」
【先行技術文献】
【特許文献】
【０００４】
【特許文献１】特公平０４−００３０８０号公報（［問題点を解決するための手段］参照）
【発明の概要】
【発明が解決しようとする課題】
【０００５】
以下の分析は、本発明によって与えられたものである。
【０００６】
特許文献１の接地検出は、「誘導電波又は商用電源からの電磁誘導等により鉄骨等に生じた交流信号」、すなわち、制御不能な信号を用いて、リストストラップの接地状態検出を行なっているため、この信号に大きな変動があった場合、正確な接地状態検出が困難となるおそれがある。
【０００７】
かくして、静電気対策ツールの接地状態確認が簡単にかつ正確にできる静電気対策ツールの接地状態確認装置および確認方法が求められている。
【課題を解決するための手段】
【０００８】
第１の視点において、静電気対策ツールの接地状態確認装置は、静電気測定機能を有し、前記静電気対策ツールに接続されて、前記機能を用いて前記静電気対策ツールの接地状態を検出する静電気測定器、を備えている。
【０００９】
第２の視点において、静電気対策ツールの接地状態確認方法は、静電気対策ツールに静電気測定器を接続し、前記静電気測定器が有する静電気測定機能を用いて、前記静電気対策ツールの接地状態を判定する。
【発明の効果】
【００１０】
静電気対策ツールの接地状態確認が簡単にかつ正確にできる静電気対策ツールの接地状態確認装置および確認方法が提供される。
【図面の簡単な説明】
【００１１】
【図１】実施形態１又は２の接地状態確認装置の基本的構成を模式的に示すブロック図である。
【図２】実施形態１の接地状態確認装置を模式的に示すブロック図である。
【図３】実施形態２の接地状態確認装置を模式的に示すブロック図である。
【発明を実施するための形態】
【００１２】
形態１は、第１の視点に記載のとおりである。
【００１３】
形態２において、前記静電気測定器は、静電気対策ツールに接続される接続部と、前記静電気対策ツールに印加する所定信号を発生する信号発生部と、前記所定信号の印加結果に基づいて前記静電気対策ツールの接地状態を検出する検出部と、を有している。接続部は、静電気対策ツールに非接触或いは接触して接続されるプローブ等である。信号発生部は、例えば、交流電圧ないし電流信号を発生する。検出部は、例えば、検出された静電電位値又は静電容量値を表示又は出力する。
【００１４】
形態３において、前記検出部は、前記所定信号の印加に伴って発生する電圧変化を検出し、前記接地状態確認装置は、前記電圧変化に基づいて、前記静電気対策ツールの接地状態を判定する。静電気測定器は、例えば、所定信号の印加と共に、接続部と非測定物間の静電容量が変化するよう接続部を振動させ、それによって、静電気測定器に発生する電圧変化に基づいて、静電電位等を検出することができる。
【００１５】
形態４において、前記静電気測定器は、前記静電気対策ツールの静電電位値又は静電容量値を測定可能である。接地状態確認装置は、静電気測定器の静電電位値又は静電容量値検出結果に基づいて、前記静電気対策ツールの接地状態を判定することができる。
【００１６】
形態５において、前記静電気測定器は、前記静電気対策ツールのグランド接続部と、グランドとの間に接続される
【００１７】
形態６において、前記静電気測定器は、前記静電気対策ツールの前記グランド接続部の電圧ないし電圧変化に基づいて、前記静電気対策ツールの接地状態を検出する。接地状態確認装置は、この電圧ないし電圧変化に基づいて、前記静電気対策ツールの接地状態を判定することができる。
【００１８】
形態７は、第２の視点に記載のとおりである。
【００１９】
形態８において、前記静電気測定器は、前記静電気対策ツールに所定信号を印加し、前記所定信号の印加により発生する状態変化に基づいて、前記静電気対策ツールの接地状態を検出する（形態３、４又は６参照）。
【００２０】
形態９において、前記静電気測定器は、前記所定信号の印加により発生する電圧変化に基づいて、前記静電気対策ツールの接地状態を検出する（形態３参照）。
【００２１】
形態１０において、前記静電気対策ツールの静電電位、静電容量又は前記静電気対策ツールの前記グランド接続部の電圧ないし電圧変化に基づいて、前記静電気対策ツールの接地状態を判定する（形態３、４又は６参照）。
【００２２】
一実施形態の概要について、図面を参照して説明する。なお、この概要に付記した図面参照符号は、理解を助けるための一例として各要素に便宜上付記したものであり、本発明を図示の態様に限定することを意図するものではない。
【００２３】
図１を参照すると、接地状態確認装置１０は、対象機器又はユーザに蓄積された静電気をグランドに逃がすことができる静電気対策ツール１の接地状態を確認する装置である。対象機器としては、コンピュータ等の電子機器、半導体基板等の電子部品が例示される。静電気対策ツールとしては、リストストラップ、リストバンド、静電マット、除電マット等が例示される。接地状態確認装置１０は、静電気対策ツール１に接続された静電気測定器２を備え、静電気測定器２の静電気測定機能を利用して、静電気対策ツール１の接地状態を検出する。
【００２４】
接地状態確認装置１０は、静電気測定器２が有する静電気測定機能、すなわち、制御された機能を利用して静電気対策ツールの接地状態を検出するため、周辺環境に可及的に左右されずに、正確な接地状態確認ができる。また、接地状態確認装置１０は、静電気測定器２として、市販又は公知の原理に基づく測定器を用いることができるため、接地状態検出が簡単にできる。
【００２５】
続いて、一実施形態について図面を参照して詳細に説明する。なお、以降の記述において、多くの具体的事項は、説明のため、本発明の理解を助けるためになされたものである。
【実施形態１】
【００２６】
図２を参照すると、実施形態１の接地状態確認装置１０が利用する静電気測定器２は、静電気対策ツール１に印加する所定信号を発生する信号発生部２ａと、静電気対策ツール１に接続される、例えば、そのグランド接続部１ａに好ましくは非接触状態で接続される接続部（プローブ）２ｂと、この所定信号の印加結果に基づいて静電気対策ツールの接地状態を検出する検出部２ｃと、を有している。
【００２７】
検出部２ｃは、所定信号の印加に伴って静電気測定器２内で発生する、例えば、接続部２ｂないし信号発生部２ａ等で発生ないし誘導される電圧変化又は電流変化に基づき、静電電位値又は静電容量値を検出することができる。これらの静電電位値又は静電容量値が、静電気対策ツール１の接地状態を表している。
【００２８】
したがって、接地状態確認装置１０ないしそのユーザは、静電気測定器２が検出して出力ないし表示する静電電位値又は静電容量値に基づいて、静電気対策ツール１の接地状態の良否を判定することができる。接地状態確認装置１０或いはそのユーザは、例えば、検出された静電電位値が所定値よりも小さい場合には、或いは、検出された静電容量値が所定値よりも大きい場合には、静電気対策ツール１の接地状態は良好であると判定することができる。
【００２９】
接地状態確認装置１０による接地状態確認方法の一例を説明する。静電気測定器２の接続部２ｂを静電気対策ツール１のグランド接続部１ａに接続し、静電気測定器２をグランドに接続する。静電気測定器２において、信号発生部２ａは所定信号（例えば、交流電圧信号）を発生し、接続部２ｂはこの所定信号を静電気対策ツール１に印加する。接地状態確認装置１０ないしそのユーザは、検出部２ｃが検出して出力又は表示する静電電位又は静電容量の値に基づいて、静電気対策ツール１の接地状態の良否を判定することができる。
【００３０】
接地状態確認装置１０ないしそのユーザは、例えば、検出された静電電位値が所定値以下若しくは所定範囲内の場合には、あるいは、検出された静電容量値が浮遊容量値（所定容量値）以上の場合には、測定対象物（静電気対策ツール１、或いは、静電気対策ツール１および静電気除去対象）の接地状態は良好と判定することができる。詳細には、接地状態確認装置１０ないしそのユーザは、静電気対策ツール１が充分なグランドに接続され、対地電圧がゼロ若しくはゼロ近傍の所定範囲内にあること、あるいは、対象機器との電位差がゼロ若しくはゼロ近傍の所定範囲内にあること、が確認できる。このような判定は、ユーザが静電気測定器２の表示値に基づいて実行することもでき、又、接地状態確認装置１０に検出部２ｃに接続されて検出出力信号が入力される判定部を設けても良い。
【００３１】
次に、接地状態確認装置１０が利用できる静電気測定器２の静電気測定機能の一例を説明する。
【００３２】
静電気測定器２が電界計型の場合には、信号発生部２ａは、接続部２ｂの測定電極を振動させることにより、接続部２ｂと被測定物間の静電容量を変化させ、測定電極に誘起される電圧に基づいて、被測定物の静電電位又は静電容量の値を検出する。
【００３３】
静電気測定器２が表面電位計型の場合には、信号発生部２ａは、接続部２ｂの測定電極を振動させることにより、接続部２ｂと被測定物間の静電容量を変化させ、測定電極に誘起される電流に基づいて測定電極に印加する電圧をフィードバック制御し、測定電極に印加された電圧に基づいて、被測定物の静電電位又は静電容量の値を検出する。
【００３４】
以上説明したように、接地状態確認装置１０は、市販の静電気測定器２を用い、静電気測定器２の公知の原理に基づく静電電位又は静電容量測定機能を利用し、静電気測定器２が検出する静電電位又は静電容量の値に基づいて、静電気対策ツール１の接地状態を正確かつ簡単に検出することができる。
【実施形態２】
【００３５】
次に、実施形態２を説明する。実施形態１では、検出された静電電位又は静電容量の値に基づいて接地状態判定を実行したが、必ずしも、静電電位又は静電容量の値まで算出しなくてもよい。そこで、実施形態２では、より簡単に、静電気対策ツール１の接地状態に対応して静電気測定器２に発生する所定の状態ないし状態変化、例えば、電圧ないし電圧変化に基づいて、接地状態判定を実行する。なお、実施形態２と実施形態１の共通点については実施形態１の記載を参照し、以下の実施形態２の説明においては、主として、実施形態２と実施形態１の相違点について説明する。
【００３６】
図３を参照すると、静電気対策ツール１はグランド接続部１ａを有している。実施形態２の接地状態確認装置１０においては、静電気測定器２の接続部２ｂを静電気対策ツール１のグランド接続部１ａに接続し、静電気測定器２の一端をグランド又はグランドと思われる所に接続する。静電気測定器２において、信号発生部２ａは所定信号（例えば、交流電圧信号）を発生し、接続部２ｂはこの所定信号を静電気対策ツール１に印加する。静電気測定器２には、静電気対策ツール１の接地状態、特に、グランド接続部１ａの電位ないし電位変化に対応する電圧ないし電圧変化が発生ないし誘導され、検出部２ｃは、この電圧ないし電圧変化を検出して出力又は表示する。接地状態確認装置１０ないしそのユーザは、検出された電圧ないし電圧変化に基づいて、静電気対策ツール１の接地状態の良否を正確かつ簡単に判定することができる。
【００３７】
例えば、接地状態確認装置１０ないしそのユーザは、検出された電圧ないし電圧変化値が所定値以下若しくは所定範囲内の場合には、測定対象物（静電気対策ツール１、或いは、静電気対策ツール１および静電気除去対象）の接地状態は良好と判定することができる。詳細には、接地状態確認装置１０ないしそのユーザは、静電気対策ツール１が充分なグランドに接続され、対地電圧がゼロ若しくはゼロ近傍の所定範囲内にあること、あるいは、対象機器との電位差がゼロ若しくはゼロ近傍の所定範囲内にあること、が確認できる。このような判定は、ユーザが静電気測定器２の表示値に基づいて実行することもでき、又、接地状態確認装置１０に、検出部２ｃに接続されて検出出力信号が入力される判定部を設けても良い。
【００３８】
このように、静電気測定器２の検出出力に基づいて、簡単に接地状態検出ができる（必ずしも、静電電位又は静電容量の値まで算出しなくてもよい）。また、接地状態確認装置１０は、市販の静電気測定器２を用い、静電気測定器２の公知の原理に基づく静電気測定機能を利用し、静電気測定器２が検出する電圧ないし電圧変化に基づいて、静電気対策ツール１の接地状態、或いは、静電気対策ツール１が接地されるグランドの適否を正確かつ簡単に検出することができる。
【００３９】
以上、本発明の一実施形態等を説明したが、本発明は、上記した一実施形態等に限定されるものではなく、本発明の基本的技術的思想を逸脱しない範囲で、更なる変形、置換又は調整を加えることができる。
【００４０】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００４１】
１  静電気対策ツール（静電気除去ユニット）
１ａ  グランド接続部
２  静電気測定器
２ａ  信号発生部
２ｂ  接続部（プローブ）
２ｃ  検出部
１０  接地状態確認装置
【図１】
2015049090.tif 000003
【図２】
2015049090.tif 000004
【図３】
2015049090.tif 000005